(57)【要約】【課題】印刷用紙の色に合わせて画像データに対して忠実な印刷を低コストで実現すること。【解決手段】複数種類の印刷用紙の中から、印刷に用いる印刷用紙を選択させるステップと、複数種類の印刷用紙の色に応じた色補正データを格納する色補正データテーブル１０２から、選択された印刷用紙の色に対応する色補正データを取得するステップと、取得された色補正データに基づいて、画像データに対して色補正をかけるステップと、色補正された画像データに基づいて、印刷用紙３００に対して印刷を行うステップとを含む。【選択図】        図１
2005348220.tif 000002
【特許請求の範囲】
【請求項１】
複数種類の印刷用紙の中から、印刷に用いる印刷用紙を選択させる印刷用紙選択手段と、
前記複数種類の印刷用紙の色に応じた色補正データを格納する色補正データテーブルから、選択された印刷用紙の色に対応する色補正データを取得する色補正データ取得手段と、
取得された色補正データに基づいて、画像データに対して色補正をかける色補正手段と、
色補正された画像データに基づいて、選択された印刷用紙に対して印刷を行う印刷手段と、
を備えたことを特徴とする印刷装置。
【請求項２】
色補正に関するリクエストを受け付け、前記色補正データに対して補正をかける色補正データ補正手段を備えたことを特徴とする請求項１に記載の印刷装置。
【請求項３】
複数種類の印刷用紙の中から、印刷に用いる印刷用紙を選択させる印刷用紙選択工程と、
前記複数種類の印刷用紙の色に応じた色補正データを格納する色補正データテーブルから、選択された印刷用紙の色に対応する色補正データを取得する色補正データ取得工程と、
取得された色補正データに基づいて、画像データに対して色補正をかける色補正工程と、
色補正された画像データに基づいて、選択された印刷用紙に対して印刷を行う印刷工程と、
を含むことを特徴とする印刷方法。
【請求項４】
コンピュータに、
複数種類の印刷用紙の中から、印刷に用いる印刷用紙を選択させる印刷用紙選択工程と、
前記複数種類の印刷用紙の色に応じた色補正データを格納する色補正データテーブルから、選択された印刷用紙の色に対応する色補正データを取得する色補正データ取得工程と、
取得された色補正データに基づいて、画像データに対して色補正をかける色補正工程と、
色補正された画像データに基づいて、選択された印刷用紙に対して印刷を行う印刷工程と、
を実行させるための印刷プログラム。
【請求項５】
前記コンピュータに、色補正に関するリクエストを受け付け、前記色補正データに対して補正をかける色補正データ補正工程を実行させることを特徴とする請求項４に記載の印刷プログラム。
【請求項６】
複数種類の印刷用紙の中から、印刷に用いる印刷用紙を選択させる印刷用紙選択手段と、
前記複数種類の印刷用紙の色に応じた色補正データを格納する色補正データテーブルから、選択された印刷用紙の色に対応する色補正データを取得する色補正データ取得手段と、
取得された色補正データに基づいて、印刷に用いられる画像データに対して色補正をかける色補正手段と、
を備えたことを特徴とする画像処理装置。
【発明の詳細な説明】
【技術分野】
【０００１】
本発明は、印刷装置、印刷方法および印刷プログラム並びに画像処理装置に関するものであり、特に、印刷用紙の色に合わせて画像データに対して忠実な印刷を低コストで実現することができる印刷装置、印刷方法および印刷プログラム並びに画像処理装置に関するものである。
【背景技術】
【０００２】
従来より、年賀状印刷に代表される写真印刷では、画像ソフトウェア等を用いてユーザが画像データ（印刷データ）を好みの色調に加工した後、印刷用紙（葉書）に印刷する比率が年々増加している。
【０００３】
ここで、印刷用紙の色によっては、同じ画像データを使って印刷しても、印刷の仕上がりに差が出る。例えば、黄ばんでいる印刷用紙に印刷した場合には、白色の印刷用紙に印刷した場合に比して、黄ばんだ状態で印刷され、画像データに対して忠実な色表現とならないという問題が生じる。
【０００４】
そこで、従来では、光学式スキャナ装置で印刷用紙の色（白色または黄ばんだ色）を事前に検出し、この検出結果を補正用色変換テーブルに適用し、画像データに補正をかけて、補正された画像データを用いて当該印刷用紙に印刷することにより、印刷用紙の色に合い、画像データに忠実な印刷を実現する印刷装置が提案されている（特許文献１参照）。
【０００５】
【特許文献１】特開平９−２１６３８５号公報
【発明の開示】
【発明が解決しようとする課題】
【０００６】
ところで、従来の印刷装置においては、光学式スキャナ装置を用いることにより、画像データに忠実な印刷を実現することができるという利点を有するものの、光学式スキャナ装置を購入しなければならず印刷コストが高くつくという問題があった。
【０００７】
本発明は、上記に鑑みてなされたものであって、印刷用紙の色に合わせて画像データに対して忠実な印刷を低コストで実現することができる印刷装置、印刷方法および印刷プログラム並びに画像処理装置を提供することを目的とする。
【課題を解決するための手段】
【０００８】
上述した課題を解決し、目的を達成するために、本発明は、複数種類の印刷用紙の中から、印刷に用いる印刷用紙を選択させる印刷用紙選択手段と、前記複数種類の印刷用紙の色に応じた色補正データを格納する色補正データテーブルから、選択された印刷用紙の色に対応する色補正データを取得する色補正データ取得手段と、取得された色補正データに基づいて、画像データに対して色補正をかける色補正手段と、色補正された画像データに基づいて、選択された印刷用紙に対して印刷を行う印刷手段と、を備えたことを特徴とする。
【０００９】
また、本発明は、複数種類の印刷用紙の中から、印刷に用いる印刷用紙を選択させる印刷用紙選択工程と、前記複数種類の印刷用紙の色に応じた色補正データを格納する色補正データテーブルから、選択された印刷用紙の色に対応する色補正データを取得する色補正データ取得工程と、取得された色補正データに基づいて、画像データに対して色補正をかける色補正工程と、色補正された画像データに基づいて、選択された印刷用紙に対して印刷を行う印刷工程と、を含むことを特徴とする。
【００１０】
また、本発明は、コンピュータに、複数種類の印刷用紙の中から、印刷に用いる印刷用紙を選択させる印刷用紙選択工程と、前記複数種類の印刷用紙の色に応じた色補正データを格納する色補正データテーブルから、選択された印刷用紙の色に対応する色補正データを取得する色補正データ取得工程と、取得された色補正データに基づいて、画像データに対して色補正をかける色補正工程と、色補正された画像データに基づいて、選択された印刷用紙に対して印刷を行う印刷工程と、を実行させるための印刷プログラムである。
【００１１】
また、本発明は、複数種類の印刷用紙の中から、印刷に用いる印刷用紙を選択させる印刷用紙選択手段と、前記複数種類の印刷用紙の色に応じた色補正データを格納する色補正データテーブルから、選択された印刷用紙の色に対応する色補正データを取得する色補正データ取得手段と、取得された色補正データに基づいて、印刷に用いられる画像データに対して色補正をかける色補正手段と、を備えたことを特徴とする。
【発明の効果】
【００１２】
本発明によれば、複数種類の印刷用紙の中から、印刷に用いる印刷用紙を選択させ、複数種類の印刷用紙の色に応じた色補正データを格納する色補正データテーブルから、選択された印刷用紙の色に対応する色補正データを取得し、取得された色補正データに基づいて、画像データに対して色補正をかけることとしたので、従来のような光学式スキャナ装置を不要とし、印刷用紙の色に合わせて画像データに対して忠実な印刷を低コストで実現することができるという効果を奏する。
【発明を実施するための最良の形態】
【００１３】
以下に、本発明にかかる印刷装置、印刷方法および印刷プログラム並びに画像処理装置の実施例を図面に基づいて詳細に説明する。なお、この実施例によりこの発明が限定されるものではない。
【実施例】
【００１４】
図１は、本発明にかかる一実施例の構成を示す図である。同図に示した印刷装置１００は、印刷用紙の色に合わせて、画像データに対して色補正をかける色補正のパターンを印刷用紙毎に保持しておき、印刷前にユーザに選択された印刷用紙に対応する色補正のパターンに基づいて、色補正をかけ、画像データに忠実な印刷を行う装置である。この印刷装置１００の印刷方式は、例えば、インクジェット方式である。
【００１５】
印刷装置１００において、画像処理部１０１は、ユーザに印刷用紙を選択させる処理や、印刷用紙３００の色に合わせて、色補正のパターンである色補正テーブル１０２に基づいて、画像データ２００に対して色補正をかける処理等を実行する機能を備えている。
【００１６】
画像データ２００は、例えば、写真等のカラー画像に対応するデータであり、印刷データのソースとして用いられる。色補正テーブル１０２は、図２に示したように、印刷用紙種別に応じて複数の色補正データを有するテーブルである。印刷用紙種別は、印刷装置１００で使用可能な印刷用紙の種別であり、官製はがき、年賀はがき、暑中見舞いはがき、カスタムはがき１、カスタムはがき２、・・・等が挙げられる。色補正テーブル１０２は、例えば、記録媒体や外部データベース等から提供される。
【００１７】
ここで、官製はがき、年賀はがき、暑中見舞いはがきのそれぞれは、色が微妙に異なることを前提とする。例えば、官製はがきの色は、少々黄ばんだ色である。年賀はがきは、官製はがきに比して、黄ばみが薄く白色に近い色である。暑中見舞いはがきは、官製はがきおよび年賀はがきよりも、白色に近い色である。
【００１８】
従って、色補正データは、印刷用紙の色に応じて設定されており、該色に合わせて画像データに対して色補正をかけ、画像データにより忠実な色を印刷するためのデータである。以下では、図３および図４を参照して、色補正データを用いた色補正について説明する。ここで、色空間として、Ｌａｂ空間、Ｌ＊ｕ＊ｖ空間、Ｌ＊Ｃ＊ｈ空間、Ｕ＊Ｖ＊Ｗ空間、ｘ＊ｙ＊Ｙ空間などが与えられるが、以下では、ｘ＊ｙ＊Ｙ空間、Ｌａｂ空間に基づいて説明する。
【００１９】
図３に示したｘｙ色度図（ｘ＊ｙ＊Ｙ空間）において、色ポイントＣ１は、印刷用紙の色を表し、理想の白色に対して、やや黄色みがかった白色である。色ポイントＣ１の色座標は、ｘ０．４５、ｙ０．４１である。印刷したい画像データが色ポイントＣ２の色である場合、色ポイントＣ２と色ポイントＣ１とを結ぶベクトルの反対成分を色ポイントＣ２に加えた色ポイントＣ３を補正後の画像データとなるように、色補正テーブル１０２における色補正データが作成される。
【００２０】
すなわち、色ポイントＣ１に対応する色の印刷用紙に色ポイントＣ２に対応する色を印刷すると、黄色みがかった印刷となるが、補正された色ポイントＣ３に対応する色を印刷すると、所望の色ポイントＣ２に対応する色が印刷されるのである。なお、印刷したい画像データが色ポイントＣ４の色である場合、すなわち、色ポイントＣ１の補色である場合には、かかる色補正が不要となる。
【００２１】
つぎに、図４に示した明るさデータを含むＬａｂ空間を用いて、色補正について説明する。図４の下図表に示したＬａｂ空間において、縦軸Ｌは明るさを表し、Ｌ軸に沿って複数のａ＊ｂ平面が存在する。図４の上図表は、下図表を平面的に表した図である。同図において、色ポイントＤ１は、印刷用紙の色を表し、理想の白色に対して、やや黄色みがかった白色である。
【００２２】
印刷したい画像データが色ポイントＤ３の色である場合、白色の点から色ポイントＤ１を結ぶベクトルが白色に対するオフセット量となることから、色ポイントＤ３から該ベクトルを引いた色ポイントＤ２を補正後の画像データとなるように、色補正テーブル１０２における色補正データが作成される。
【００２３】
すなわち、色ポイントＤ１に対応する色の印刷用紙に色ポイントＤ３に対応する色を印
刷すると、黄色みがかった印刷となるが、補正された色ポイントＤ２に対応する色を印刷すると、所望の色ポイントＤ３に対応する色が印刷されるのである。
【００２４】
図１に戻り、表示部１０３は、印刷の前にユーザに印刷用紙を選択させるための印刷用紙選択画面４００（図５参照）や、後述するカスタム色補正を行うためのカスタム色補正画面５００（図６参照）を表示する機能を備えている。設定部１０４は、印刷用紙選択画面４００やカスタム色補正画面５００における各種ボタンを用いた設定を行うためのキーボードやマウス等である。
【００２５】
Ｙヘッド１０５は、印刷用紙３００に対して、イエロインクを吐出する。Ｍヘッド１０６は、印刷用紙３００に対して、マゼンダインクを吐出する。Ｃヘッド１０７は、印刷用紙３００に対して、シアンインクを吐出する。ＢＫヘッド１０８は、印刷用紙３００に対して、ブラックインクを吐出する。Ｙヘッド駆動部１０９は、Ｙヘッド１０５を駆動する。Ｍヘッド駆動部１１０は、Ｍヘッド１０６を駆動する。
【００２６】
Ｃヘッド駆動部１１１は、Ｃヘッド１０７を駆動する。ＢＫヘッド駆動部１１２は、ＢＫヘッド１０８を駆動する。印字ヘッド制御部１１３は、色補正画像データ２００Ｄに基づいて、Ｙヘッド駆動部１０９、Ｍヘッド駆動部１１０、Ｃヘッド駆動部１１１およびＢＫヘッド駆動部１１２を制御する。
【００２７】
印刷制御部１１４は、画像処理部１０１から供給される色補正画像データ２００Ｄをメモリ１１７に格納し、色補正画像データ２００Ｄに基づいて、印字ヘッド制御部１１３、印字ヘッド移動モータ１１５および紙送りモータ１１６を制御する。印字ヘッド移動モータ１１５は、Ｙヘッド１０５、Ｍヘッド１０６、Ｃヘッド１０７およびＢＫヘッド１０８を移動させる。紙送りモータ１１６は、印刷の進行状況に応じて印刷用紙３００を送り出すモータである。
【００２８】
つぎに、一実施例の動作について、図７に示したフローチャートに基づいて説明する。同図に示したステップＳＡ１では、画像処理部１０１は、印刷指示があるか否かを判断し、この場合、判断結果を「Ｎｏ」として、同判断を繰り返す。そして、画像データ２００を印刷すべき印刷指示があると、画像処理部１０１は、ステップＳＡ１の判断結果を「Ｙｅｓ」とする。ステップＳＡ２では、画像処理部１０１は、画像データ２００を取得する。
【００２９】
ステップＳＡ３では、画像処理部１０１は、図５に示した印刷用紙選択画面４００を表示部１０３に表示させる。この印刷用紙選択画面４００には、色補正テーブル１０２（図２参照）の印刷用紙種別に対応する印刷用紙一覧４０１と、決定ボタン４０２と、カスタム色補正ボタン４０３とが表示されている。
【００３０】
ステップＳＡ４では、画像処理部１０１は、カスタム色補正ボタン４０３が押下されたか否かを判断し、この場合、判断結果を「Ｎｏ」とする。ステップＳＡ５では、画像処理部１０１は、決定ボタン４０２が押下されたか否かを判断し、この場合、判断結果を「Ｎｏ」とする。以後、画像処理部１０１は、ステップＳＡ４またはステップＳＡ５の判断結果が「Ｙｅｓ」となるまで、ステップＳＡ４およびステップＳＡ５の判断を繰り返す。
【００３１】
そして、ユーザは、印刷用紙一覧４０１から、印刷に用いる印刷用紙３００に対応する「官製はがき」を選択した後、設定部１０４を用いて決定ボタン４０２を押下する。これにより、画像処理部１０１は、ステップＳＡ５の判断結果を「Ｙｅｓ」とする。ステップＳＡ６では、画像処理部１０１は、印刷用紙選択画面４００で選択された「官製はがき」をキーとして、色補正テーブル１０２（図２参照）から色補正データＨ１を取得する。
【００３２】
ステップＳＡ７では、画像処理部１０１は、図３や図４を参照して説明した色補正方法により、色補正データＨ１を用いて画像データ２００に対して色補正をかけ、色補正画像データ２００Ｄを生成する。つぎに、画像処理部１０１は、色補正画像データ２００Ｄを印刷制御部１１４に渡す。
【００３３】
これにより、ステップＳＡ８では、色補正画像データ２００Ｄに基づいて印刷が行われた後、ステップＳＡ１の判断が行われる。すなわち、印刷制御部１１４は、色補正画像データ２００Ｄをメモリ１１７に格納した後、色補正画像データ２００Ｄに基づいて、印字ヘッド移動モータ１１５、紙送りモータ１１６、印字ヘッド制御部１１３を制御する。これにより、印刷用紙３００には、色補正された状態で、画像データ２００に対して忠実な画像が印刷される。
【００３４】
ここで、印刷用紙３００に印刷された画像が、ユーザの好みでなかった場合、ユーザは、カスタムで色補正を行うことも可能である。この場合、ユーザは、設定部１０４を用いて、図５に示した印刷用紙選択画面４００で、印刷用紙一覧４０１の「官製はがき」を選択した後、カスタム色補正ボタン４０３を押下する。これにより、画像処理部１０１は、ユーザからカスタム補正に関するリクエストを受け付け、ステップＳＡ４の判断結果を「Ｙｅｓ」とする。
【００３５】
ステップＳＡ９では、画像処理部１０１は、図６に示したカスタム色補正画面５００を表示部１０３に表示させる。このカスタム色補正画面５００には、印刷用紙の色を設定するためのｘｙ色度図５０１と、開始ボタン５０２とが表示されている。ｘｙ色度図５０１には、印刷用紙一覧４０１で選択された「官製はがき」の色に対応する色ポイントＥ１が表示されている。
【００３６】
ステップＳＡ１０では、画像処理部１０１は、開始ボタン５０２が押下されたか否かを判断し、この場合、判断結果を「Ｎｏ」として、同判断を繰り返す。そして、ユーザは、印刷用紙３００が「官製はがき」よりも白い場合、当該色に対応する色ポイントＥ２を、設定部１０４を用いて設定した後、開始ボタン５０２を押下する。
【００３７】
これにより、画像処理部１０１は、ステップＳＡ１０の判断結果を「Ｙｅｓ」とする。ステップＳＡ１１では、画像処理部１０１は、色ポイントＥ２に対応する色を、印刷用紙の色として、色補正データＨ１に補正をかけ、これを色補正データＨ１’（カスタムはがき１）として、色補正テーブル１０２（図２参照）に追加する。
【００３８】
ステップＳＡ７では、画像処理部１０１は、図３や図４を参照して説明した色補正方法により、色補正データＨ１’を用いて画像データ２００に対して色補正をかけ、色補正画像データ２００Ｄ’を生成する。つぎに、画像処理部１０１は、色補正画像データ２００Ｄ’を印刷制御部１１４に渡す。
【００３９】
これにより、ステップＳＡ８では、色補正画像データ２００Ｄ’に基づいて印刷が行われた後、ステップＳＡ１の判断が行われる。この場合、印刷用紙３００には、ユーザの好みに応じて色補正された画像が印刷される。
【００４０】
なお、一実施例においては、インクジェット方式の印刷装置への適用例について説明したが、レーザ方式、昇華方式等の他の印刷方式の印刷装置へも適用可能である。また、一実施例においては、図６に示したカスタム色補正画面５００でカスタム色補正を行う例について説明したが、色補正テーブル１０２を補正する方法として、ユーザにより補正係数（数値）を直接入力する方法等を用いてもよい。
【００４１】
以上説明したように、一実施例によれば、印刷用紙選択画面４００（図５参照）で複数種類の印刷用紙の中から、印刷に用いる印刷用紙を選択させ、複数種類の印刷用紙の色に応じた色補正データを格納する色補正データテーブル１０２（図２参照）から、選択された印刷用紙の色に対応する色補正データＨ１等を取得し、取得された色補正データＨ１等に基づいて、画像データ２００に対して色補正をかけることとしたので、従来のような光学式スキャナ装置を不要とし、印刷用紙の色に合わせて画像データ２００に対して忠実な印刷を低コストで実現することができる。
【００４２】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【００４３】
例えば、前述した一実施例においては、印刷装置１００や画像処理部１０１の機能を実現するためのプログラムを図８に示したコンピュータ読み取り可能な記録媒体６００に記録して、この記録媒体６００に記録されたプログラムを同図に示したコンピュータ７００に読み込ませ、実行することにより各機能を実現してもよい。
【００４４】
同図に示したコンピュータ７００は、上記プログラムを実行するＣＰＵ（Central Processing Unit）７１０と、キーボード、マウス等の入力装置７２０と、各種データを記憶するＲＯＭ（Read Only Memory）７３０と、演算パラメータ等を記憶するＲＡＭ（Random Access Memory）７４０と、記録媒体６００からプログラムを読み取る読取装置７５０と、ディスプレイ、プリンタ等の出力装置７６０とから構成されている。
【００４５】
ＣＰＵ７１０は、読取装置７５０を経由して記録媒体６００に記録されているプログラムを読み込んだ後、プログラムを実行することにより、前述した機能を実現する。なお、記録媒体６００としては、光ディスク、フレキシブルディスク、ハードディスク等が挙げられる。
【産業上の利用可能性】
【００４６】
以上のように、本発明にかかる印刷装置、印刷方法および印刷プログラム並びに画像処理装置は、複数種類の色を有する各印刷用紙に対する画像データの印刷に対して、有用である。
【図面の簡単な説明】
【００４７】
【図１】本発明にかかる一実施例の構成を示すブロック図である。
【図２】図１に示した色補正テーブル１０２を示す図である。
【図３】同一実施例における色補正方法を説明する図である。
【図４】同一実施例における色補正方法を説明する図である。
【図５】同一実施例における印刷用紙選択画面４００を示す図である。
【図６】同一実施例におけるカスタム色補正画面５００を示す図である。
【図７】同一実施例の動作を説明するフローチャートである。
【図８】同一実施例の変形例の構成を示すブロック図である。
【符号の説明】
【００４８】
１００  印刷装置、１０１  画像処理部、１０２  色補正テーブル、１０３  表示部、１０４  設定部、１１４  印刷制御部、３００  印刷用紙、４００  印刷用紙選択画面、５００  カスタム色補正画面
【図１】
2005348220.tif 000003
【図２】
2005348220.tif 000004
【図３】
2005348220.tif 000005
【図４】
2005348220.tif 000006
【図５】
2005348220.tif 000007
【図６】
2005348220.tif 000008
【図７】
2005348220.tif 000009
【図８】
2005348220.tif 000010